(57)【要約】  本発明は、協調マルチポイント（ＣｏＭＰ）送信に関する。一実施形態によれば、ＣｏＭＰ送信のサービング基地局のための方法は、望ましい非ゼロ・パワー・チャネル・ステータス情報基準信号（ＮＺＰ  ＣＳＩ  ＲＳ）リソースおよび／またはゼロ・パワー・チャネル・ステータス情報基準信号（ＺＰ  ＣＳＩ  ＲＳ）リソースを示すメッセージをＣｏＭＰ送信の協力基地局に対して送信するステップを含んでいる。本方法は、新しいニーズを満たし、またＣｏＭＰ送信を容易にする。
2016500995.tif 000002
【特許請求の範囲】
【請求項１】
協調マルチポイント（ＣｏＭＰ）送信のサービング基地局のための方法であって、
望ましい非ゼロ・パワー・チャネル・ステータス情報基準信号リソースおよび／またはゼロ・パワー・チャネル・ステータス情報基準信号リソースを示すメッセージを前記ＣｏＭＰ送信の協力基地局に対して送信するステップ
を含む方法。
【請求項２】
前記メッセージは、前記望ましい非ゼロ・パワー・チャネル・ステータス情報基準信号リソースについてのリソース構成情報とサブフレーム構成情報とを含む、請求項１に記載の方法。
【請求項３】
前記メッセージは、前記サービング基地局についてのセル識別情報および／またはアンテナ・ポート構成情報をさらに含む、請求項２に記載の方法。
【請求項４】
前記メッセージは、前記非ゼロ・パワー・チャネル・ステータス情報基準信号リソースについての前記リソース構成情報および前記サブフレーム構成情報の実効時間をさらに含む、請求項２に記載の方法。
【請求項５】
前記メッセージは、前記望ましいゼロ・パワー・チャネル・ステータス情報基準信号リソースについてのゼロ送信パワー・リソース構成情報およびゼロ送信パワー・サブフレーム構成情報を含む、請求項１に記載の方法。
【請求項６】
前記メッセージは、前記サービング基地局についてのセル識別情報をさらに含む、請求項５に記載の方法。
【請求項７】
前記メッセージは、前記ゼロ・パワー・チャネル・ステータス情報基準信号リソースについての前記ゼロ送信パワー・サブフレーム構成情報と、前記ゼロ送信パワー・リソース構成情報の実効時間とをさらに含む、請求項５に記載の方法。
【請求項８】
協調マルチポイント（ＣｏＭＰ）送信の協力基地局のための方法であって、
前記協力基地局の非ゼロ・パワー・チャネル・ステータス情報基準信号リソースおよび／またはゼロ・パワー・チャネル・ステータス情報基準信号リソースを示すメッセージを前記サービング基地局に対して送信するステップ
を含む方法。
【請求項９】
前記ＣｏＭＰ送信の前記サービング基地局から前記ＣｏＭＰ送信のリソース割付けについての要求メッセージを受信するステップをさらに含む、請求項８に記載の方法。
【請求項１０】
前記ＣｏＭＰ送信の前記サービング基地局から望ましい非ゼロ・パワー・チャネル・ステータス情報基準信号リソースおよび／またはゼロ・パワー・チャネル・ステータス情報基準信号リソースを示すメッセージを受信するステップをさらに含む、請求項８に記載の方法。
【請求項１１】
前記メッセージは、前記非ゼロ・パワー・チャネル・ステータス情報基準信号リソースについてのリソース構成情報およびサブフレーム構成情報を含む、請求項８に記載の方法。
【請求項１２】
前記メッセージは、前記協力基地局についてのセル識別情報および／またはアンテナ・ポート構成情報をさらに含む、請求項１１に記載の方法。
【請求項１３】
前記メッセージは、前記非ゼロ・パワー・チャネル・ステータス情報基準信号リソースについての前記サブフレーム構成情報と、前記リソース構成情報の実効時間とをさらに含む、請求項１１に記載の方法。
【請求項１４】
前記メッセージは、前記ゼロ・パワー・チャネル・ステータス情報基準信号リソースについてのリソース構成情報およびサブフレーム構成情報を含む、請求項８に記載の方法。
【請求項１５】
前記メッセージは、前記協力基地局についてのセル識別情報をさらに含む、請求項１４に記載の方法。
【請求項１６】
前記メッセージは、前記ゼロ・パワー・チャネル・ステータス情報基準信号リソースについての前記サブフレーム構成情報と、前記リソース構成情報の実効時間とをさらに含む、請求項１４に記載の方法。
【請求項１７】
協調マルチポイント（ＣｏＭＰ）送信の基地局のための方法であって、
前記ＣｏＭＰ送信の協力セットの中の非ゼロ・パワー・チャネル・ステータス情報基準信号リソースをブロードキャストするステップ
を含む方法。
【請求項１８】
前記ＣｏＭＰ送信のサービング基地局は、前記協力セットの中のすべての構成情報を統合し、またそれに応じてＣｏＭＰ測定セットをアップデートする、請求項１７に記載の方法。
【発明の詳細な説明】
【技術分野】
【０００１】
本発明は、モバイル通信に関し、詳細には、協調マルチポイント（ＣｏＭＰ：Ｃｏｏｒｄｉｎａｔｅｄ  Ｍｕｌｔｉｐｌｅ  Ｐｏｉｎｔ）送信に関する。
【背景技術】
【０００２】
ロング・ターム・エボリューション（ＬＴＥ：Ｌｏｎｇ  Ｔｅｒｍ  Ｅｖｏｌｕｔｉｏｎ）プロジェクトなど、現代のモバイル通信システムにおいては、基地局は、ダウンリンク（ＤＬ）およびアップリンク（ＵＬ）について、送信フォーマット、送信ブロックのサイズ、変調スキームおよび符号化スキーム、多入力多出力（ＭＩＭＯ：Ｍｕｌｔｉｐｌｅ  Ｉｎｐｕｔ  Ｍｕｌｔｉｐｌｅ  Ｏｕｔｐｕｔ）送信モードなどを決定する。ＤＬについての決定を可能とするために、基地局は、ユーザ機器（ＵＥ：Ｕｓｅｒ  Ｅｑｕｉｐｍｅｎｔ）からの現在のＤＬチャネルの性能についての情報を必要とし、この情報は、一般に、チャネル状態情報（ＣＳＩ：Ｃｈａｎｎｅｌ  Ｓｔａｔｅ  Ｉｎｆｏｒｍａｔｉｏｎ）と称される。
【０００３】
周波数分割多重化（ＦＤＭ：Ｆｒｅｑｕｅｎｃｙ  Ｄｉｖｉｓｉｏｎ  Ｍｕｌｔｉｐｌｅｘｉｎｇ）ＣｏＭＰ送信は、協調セルの間でＣＳＩおよび／またはユーザ・データを共用すべきかどうかに応じて、セル・エッジ・ユーザ・スループットを改善し、またセル平均スループットさえも改善する可能性を有している。さらに、ＣｏＭＰは、協調スケジューリング／協調ビーム形成（ＣＳＢＳ：Ｃｏｏｒｄｉｎａｔｅｄ  Ｓｃｈｅｄｕｌｉｎｇ／Ｃｏｏｒｄｉｎａｔｅｄ  Ｂｅａｍｆｏｒｍｉｎｇ）、動的ポイント選択（ＤＰＳ：Ｄｙｎａｍｉｃ  Ｐｏｉｎｔ  Ｓｅｌｅｃｔｉｏｎ）、動的ポイント・ブランキング（ＤＰＢ：Ｄｙｎａｍｉｃ  Ｐｏｉｎｔ  Ｂｌａｎｋｉｎｇ）、共同送信（ＪＴ：Ｊｏｉｎｔ  Ｔｒａｎｓｍｉｓｓｉｏｎ）として分類される可能性がある。
【０００４】
ＣｏＭＰにおける送信モードのダイバーシティは、ＵＥが、いくつかの干渉仮説に直面する可能性があることを意味しており、またそれゆえに、ＣｏＭＰのために干渉測定が必要である。干渉測定リソース（ＩＭＲ：Ｉｎｔｅｒｆｅｒｅｎｃｅ  Ｍｅａｓｕｒｅｍｅｎｔ  Ｒｅｓｏｕｒｃｅ）の導入に起因して、伝統的なリソース構成モードは、もはや有能ではない。例えば、既存の技法において、基地局の間のネゴシエイションを通して、ＵＥについてのＩＭＲの構成を決定するための実現可能なスキームは、存在していない。
【発明の概要】
【発明が解決しようとする課題】
【０００５】
本発明の一目的は、ＣｏＭＰ送信を達成し、また先行技術における上記の欠点を克服することである。
【課題を解決するための手段】
【０００６】
本発明の一実施形態は、ＣｏＭＰ送信のサービング基地局のための方法であって、望ましい非ゼロ・パワー・チャネル・ステータス情報基準信号（ＮＺＰ  ＣＳＩ  ＲＳ：Ｎｏｎ−Ｚｅｒｏ−Ｐｏｗｅｒ  Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ）リソースおよび／またはゼロ・パワー・チャネル・ステータス情報基準信号（ＺＰ  ＣＳＩ  ＲＳ：Ｚｅｒｏ−Ｐｏｗｅｒ  Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ）リソースを示すメッセージをＣｏＭＰ送信の協力基地局に対して送信するステップを含む方法を提供している。
【０００７】
本発明の別の実施形態は、ＣｏＭＰ送信の協力基地局のための方法であって、協力基地局のＮＺＰ  ＣＳＩ  ＲＳリソースおよび／またはＺＰ  ＣＳＩ  ＲＳリソースを示すメッセージをサービング基地局に対して送信するステップを含む方法を提供している。
【０００８】
本発明のさらに別の実施形態は、ＣｏＭＰ送信の基地局のための方法であって、ＣｏＭＰ送信の協力セット（Ｃｏｏｐｅｒａｔｉｏｎ  Ｓｅｔ）の中のＮＺＰ  ＣＳＩ  ＲＳリソースをブロードキャストするステップを含む方法を提供している。
【０００９】
本発明についての上記で述べられた技術的特徴と利点とは、以下の詳細な説明によってよりよく理解されるであろう。本発明についての他の特徴と利点とは、以下のテキストにおいて説明されることになり、このテキストは、本発明についての特許請求の範囲の主題を構成している。当業者なら、開示される概念および実施形態が、本発明の目的と同一の目的を達成するための他の構造もしくはプロセスを修正し、または設計する基礎として簡単に使用され得ることを理解すべきである。当業者ならまた、そのような同等の構造は、添付の特許請求の範囲についての趣旨および範囲から逸脱することがないことを理解すべきである。
【００１０】
添付図面を参照して本発明の好ましい実施形態についての以下の詳細な説明を理解することは、ずっと簡単であろう。本発明は、例として説明されており、また添付図面だけに限定されるものではなく、また添付図面における類似した参照符号は、類似した要素を示している。
【図面の簡単な説明】
【００１１】
【図１】本発明の一実施形態によるＣｏＭＰ送信システム・アーキテクチャの概略図である。
【図２】本発明の一実施形態による、サービング基地局と、協力基地局とを伴うＣｏＭＰ送信のための方法を示す流れ図である。
【図３】本発明の別の実施形態による、サービング基地局と、協力基地局とを伴うＣｏＭＰ送信のための方法を示す流れ図である。
【図４】本発明のさらに別の実施形態による、サービング基地局と、協力基地局とを伴うＣｏＭＰ送信のための方法を示す流れ図である。
【図５】本発明のさらなる一実施形態による、サービング基地局と、協力基地局とを伴うＣｏＭＰ送信のための方法を示す流れ図である。
【発明を実施するための形態】
【００１２】
添付図面についての詳細な説明は、本発明が達成される可能性がある形態だけを表す代わりに、本発明の現在の好ましい実施形態についての説明としての役割を果たすことを意図している。同じ機能または同等な機能は、本発明の趣旨および範囲の中に含まれることを意図している異なる実施形態によって達成され得ることを理解すべきである。
【００１３】
当業者なら、本明細書において説明される手段および機能は、プログラマブル・マイクロプロセッサと、汎用コンピュータとのソフトウェア機能の組合せを使用することにより実装され、かつ／または特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）を使用することにより実装され得ることを理解すべきである。当業者ならまた、本発明は、方法とデバイスとの形態の形で主として説明されるが、本発明はまた、コンピュータ・プログラム製品と、コンピュータ・プロセッサ、およびそのプロセッサに結合されるメモリを含むシステムとして具現化され得ることも理解すべきであり、ここでメモリは、本明細書において開示される機能を達成することができる１つまたは複数のプログラムを用いて符号化される。
【００１４】
当業者なら、基地局は、異なるプロトコル規格においては異なる技術的用語を有することを理解すべきである。例えば、基地局は、ＬＴＥシステムまたはＬＴＥ−Ａシステムにおいて、ノードＢまたは進化型ノードＢ（ｅＮＢ：ｅｖｏｌｖｅｄ  Ｎｏｄｅ  Ｂ）と称される。本発明において言及される基地局は、例えば、それだけには限定されないが、ＬＴＥ−ＡシステムにおけるｅＮＢである。本発明において提供される方法およびデバイスは、例えば、それだけには限定されないが、ＬＴＥシステムに適用される。
【００１５】
図１は、本発明の一実施形態によるＣｏＭＰ送信システム・アーキテクチャの概略図である。図１は、基地局１および２と、ユーザ端末４とを示している。基地局１と２とは、共同で、ユーザ端末４のためのＣｏＭＰ送信を実行し、あるいはユーザ端末４は、別のユーザ端末のためのＣｏＭＰ送信を実行し、ここで、基地局１は、ユーザ端末４のサービング基地局としての役割を果たし、また基地局２は、協力基地局としての役割を果たす。基地局１と２とは、バックホール・ネットワークまたはＸ２インターフェースを経由して情報を交換する。複数の基地局が、同じサイトのために構成されることもあり、例えば、３つの基地局は、それぞれ、１２０°のセクタにサービスし、そのサイトの中の基地局は、バックホール・ネットワークまたはＸ２インターフェースを経由して情報を交換する必要はなく、またバックホール・ネットワークまたはＸ２インターフェースを経由して情報を交換する必要がある基地局は、通常、異なるサイトにおける基地局であることを理解すべきである。
【００１６】
図２は、本発明の一実施形態による、サービング基地局１と、協力基地局２とを伴うＣｏＭＰ送信のための方法２００を示す流れ図である。本方法２００は、サービング基地局１におけるステップ２１１と、協力基地局２におけるステップ２２１とを含んでいる。
【００１７】
ステップ２１１において、サービング基地局１は、望ましいＮＺＰ  ＣＳＩ  ＲＳリソースおよび／またはＺＰ  ＣＳＩ  ＲＳリソースを示すメッセージを協力基地局２に対して送信する。メッセージは、少なくとも２つのＮＺＰ  ＣＳＩ  ＲＳリソースを示すことができる。
【００１８】
ステップ２１１において送信されるメッセージを使用して、望ましいＮＺＰ  ＣＳＩ  ＲＳリソースを示すときに、メッセージは、通常、リソース構成（ｒｅｓｏｕｒｃｅＣｏｎｆｉｇ）情報と、サブフレーム構成（ｓｕｂｆｒａｍｅＣｏｎｆｉｇ）情報とを含んでいる。
【００１９】
オプションとして、ステップ２１１において送信されるメッセージは、サービング基地局１のＮＺＰ  ＣＳＩ  ＲＳリソースについてのセル識別情報および／またはアンテナ・ポート構成情報をさらに含むことができる。セル識別情報は、例えば、それだけには限定されないが、仮想セルＩＤである。サービング基地局１の仮想セルＩＤが、デフォルト値を採用する場合、メッセージは、必ずしも仮想セルＩＤを含んでいるとは限らない。協力基地局２が、前もってサービング基地局１についてのアンテナ・ポート構成情報を知っている場合、そのような情報は、メッセージにおいて、省略される可能性がある。
【００２０】
オプションとして、ステップ２１１において送信されるメッセージは、ＮＺＰ  ＣＳＩ  ＲＳリソースについての構成情報の実効時間をさらに含んでいる。実効時間が、規定されない場合、協力基地局２は、要求または表示が、この次にアップデートされるまで、サービング基地局１によって要求されまたは示されるリソースを常に有効であるものと見なすであろう。
【００２１】
サービング基地局１から構成情報を成功裏に受信し、また受け入れた後に、協力基地局２は、ステップ２２１において肯定応答（Ａｃｋ）メッセージを返送する。
【００２２】
サービング基地局１が、協力基地局２から肯定応答メッセージを受信する場合、サービング基地局１は、望ましいＮＺＰ  ＣＳＩ  ＲＳリソースに従って構成を実行し、またそれに応じてＣｏＭＰ測定セットをアップデートし、またアップデートされたＣｏＭＰ測定セットは、無線リソース制御（ＲＲＣ：Ｒａｄｉｏ  Ｒｅｓｏｕｒｃｅ  Ｃｏｎｔｒｏｌ）レイヤ・シグナリングによってユーザ端末４に対して通知される可能性がある。ＣｏＭＰ測定セットを取得した後に、ユーザ端末４は、測定セットに従って対応するＣＳＩを評価し、また報告し、またサービング基地局１は、それゆえにユーザ端末４のためにＣｏＭＰにおいて適切な送信モードを採用することができ、またマルチポイントを利用して、ユーザ端末にサービスして、干渉を取り除き、またスループットを強化する目的を達成する。
【００２３】
サービング基地局１が、所定の時間内に、協力基地局２から肯定応答メッセージを受信することがなく、または協力基地局２から受信失敗メッセージを受信する場合、サービング基地局１は、ステップ２１１において送信されるメッセージを再送信することができる。
【００２４】
ステップ２１１において送信されるメッセージを使用して、望ましいＺＰ  ＣＳＩ  ＲＳリソースを示すときに、メッセージは、通常、リソース構成情報（例えば、ゼロＴｘパワー・リソース構成リスト（ｚｅｒｏＴｘＰｏｗｅｒＲｅｓｏｕｒｃｅＣｏｎｆｉｇＬｉｓｔ）として表される）と、サブフレーム構成情報（例えば、ゼロＴｘパワー・サブフレーム構成（ｚｅｒｏＴｘＰｏｗｅｒＳｕｂｆｒａｍｅＣｏｎｆｉｇ）として表される）とを含んでいる。
【００２５】
オプションとして、ステップ２１１において送信されるメッセージは、サービング基地局１のＺＰ  ＣＳＩ  ＲＳリソースについてのセル識別情報をさらに含むことができ、このセル識別情報は、例えば、それだけには限定されないが、セルＩＤと、仮想セルＩＤとである。代わりに、ＺＰ  ＣＳＩ  ＲＳリソースについてのセル識別情報はまた、ＮＺＰ  ＣＳＩ  ＲＳリソースについてのセル識別情報に関連づけられる可能性もあり、またそれゆえに一意的に決定され、その結果、ＺＰ  ＣＳＩ  ＲＳリソースについてのセル識別情報は、省略される可能性がある。
【００２６】
オプションとして、ステップ２１１において送信されるメッセージは、ＺＰ  ＣＳＩ  ＲＳリソースについての構成情報の実効時間をさらに含んでいる。実効時間が、規定されない場合、協力基地局２は、要求または表示が、この次にアップデートされるまで、サービング基地局１によって要求され、または示されるリソースを常に有効であるものとして見なすであろう。
【００２７】
サービング基地局１から構成情報を成功裏に受信し、また受け入れた後に、協力基地局２は、ステップ２２１において肯定応答（Ａｃｋ）メッセージを返送する。
【００２８】
サービング基地局１が、協力基地局２から肯定応答メッセージを受信する場合、サービング基地局１は、望ましいＺＰ  ＣＳＩ  ＲＳリソースに従って構成を実行し、またそれに応じてＣｏＭＰ測定セットをアップデートし、またアップデートされたＣｏＭＰ測定セットは、ＲＲＣシグナリングによってユーザ端末４に対して通知される可能性がある。
【００２９】
サービング基地局１が、所定の時間内に、協力基地局２から肯定応答メッセージを受信することがなく、または協力基地局２から受信失敗メッセージを受信する場合、サービング基地局１は、ステップ２１１において送信されるメッセージを再送信することができる。
【００３０】
サービング基地局１は、使用可能なＺＰ  ＣＳＩ  ＲＳリソースのうちの少なくとも一部分をＩＭＲとして使用することができ、またそれに応じてＣｏＭＰ測定セットをアップデートし、またアップデートされたＣｏＭＰ測定セットは、ＲＲＣシグナリングによってユーザ端末４に対して通知される可能性がある。
【００３１】
ステップ２１１において送信されるメッセージを使用して、望ましいＺＰ  ＣＳＩ  ＲＳリソースを示すときに、メッセージは、オプションとして、ＩＭＲ構成を示すために使用される情報をさらに含んでおり、またその情報は、異なる干渉仮説に対応する可能性がある。表１は、そのような構成を与えるものである。
【００３２】
【表１】
2016500995.tif 000003
【００３３】
ＩＭＲインデックス番号１は、ＤＰＢの干渉仮説に対応しており、また示される２つのＣＳＩ  ＲＳリソースは、それぞれ、サービング基地局１のＺＰ  ＣＳＩ  ＲＳリソースと、協力基地局２のＺＰ  ＣＳＩ  ＲＳリソースとに属しており、ＩＭＲインデックス番号２は、ＣＳＣＢまたはＤＰＳの干渉仮説に対応しており、また示される２つのＣＳＩ  ＲＳリソースは、それぞれ、サービング基地局１のＺＰ  ＣＳＩ  ＲＳリソースと、協力基地局２の物理ダウンリンク共用チャネル（ＰＤＳＣＨ：Ｐｈｙｓｉｃａｌ  Ｄｏｗｎｌｉｎｋ  Ｓｈａｒｅｄ  Ｃｈａｎｎｅｌ）リソースとに属しており（この時に、協力基地局２は、サービング基地局１のＺＰ  ＣＳＩ  ＲＳに対応するリソース・パーティクルＲＥの上でＺＰ  ＣＳＩ  ＲＳを構成することはなく、またデータを送信するためのＰＤＳＣＨは、リソース・パーティクルの上にある）、ＩＭＲインデックス番号３は、ＤＰＳの干渉仮説に対応しており、また示される２つのＣＳＩ  ＲＳリソースは、それぞれ、サービング基地局１のＰＤＳＣＨリソースと、協力基地局２のＺＰ  ＣＳＩ  ＲＳリソースとに属している（この時に、サービング基地局１は、協力基地局２のＺＰ  ＣＳＩ  ＲＳに対応するリソース・パーティクルＲＥの上でＺＰ  ＣＳＩ  ＲＳを構成することはなく、またデータを送信するためのＰＤＳＣＨは、リソース・パーティクルの上にある）。当業者なら、表１におけるＣＳＩ  ＲＳリソース構成と、ＩＭＲインデックスとの間の対応する関係は、限定的である代わりに、例示的であるにすぎないことを理解すべきである。いくつかの他の実施形態においては、ＩＭＲインデックス番号に対応する３つ以上の干渉仮説が存在していることもあり、各干渉仮説の場合に構成される２つよりも多いＣＳＩ  ＲＳリソースが存在していることもあり、また各干渉仮説の場合に構成されるＣＳＩ  ＲＳリソースの数は、同じであり、または異なっている可能性がある。例えば、ＣｏＭＰ送信が、３つ以上の基地局を伴うときに、通常、より多くの干渉仮説と、より多くのＣＳＩ  ＲＳリソースの割付けとが、必要とされる。
【００３４】
望ましいＮＺＰ  ＣＳＩ  ＲＳリソースを示し、また望ましいＺＰ  ＣＳＩ  ＲＳリソース（これは、ＩＭＲを含むことができる）を示すために使用される、サービング基地局１からのメッセージは、別々に送信され、または１つのメッセージの中にまとめられ、また一緒に送信される可能性がある。それに応じて、協力基地局２からの応答メッセージは、別々に送信され、または１つのメッセージの中にまとめられ、また一緒に送信される可能性がある。
【００３５】
図３は、本発明の一実施形態による、サービング基地局１と、協力基地局２とを伴うＣｏＭＰ送信のための方法３００を示す流れ図である。本方法３００は、サービング基地局１におけるステップ３１１と、協力基地局２におけるステップ３２１とを含んでいる。
【００３６】
ステップ３１１において、サービング基地局１は、望ましいＮＺＰ  ＣＳＩ  ＲＳリソースおよび／またはＺＰ  ＣＳＩ  ＲＳリソースを示すメッセージを協力基地局２に対して送信する。そのメッセージは、少なくとも２つのＮＺＰ  ＣＳＩ  ＲＳリソースを示すことができる。
【００３７】
ステップ３１１は、上記の方法２００におけるステップ２１１に類似しており、ここでは、送信されるメッセージを使用して、望ましいＮＺＰ  ＣＳＩ  ＲＳリソースを示すときに、またメッセージは、通常、リソース構成（ｒｅｓｏｕｒｃｅＣｏｎｆｉｇ）情報と、サブフレーム構成（ｓｕｂｆｒａｍｅＣｏｎｆｉｇ）情報とを含んでいる。オプションとして、メッセージは、サービング基地局１についてのセル識別情報および／またはアンテナ・ポート構成情報をさらに含んでいる。オプションとして、メッセージは、ＮＺＰ  ＣＳＩ  ＲＳリソースについての構成情報の実効時間をさらに含んでいる。
【００３８】
サービング基地局１から構成情報を受信した後に、協力基地局２は、それ自体の状態に従って、ＮＺＰ  ＣＳＩ  ＲＳについてのより適切なリソースを選択することができる。次いで、ステップ３２１において、協力基地局２のＮＺＰ  ＣＳＩ  ＲＳリソースおよび／またはＺＰ  ＣＳＩ  ＲＳリソースを示すメッセージが、サービング基地局１に対して送信される。
【００３９】
協力基地局２のＮＺＰ  ＣＳＩ  ＲＳリソースおよび／またはＺＰ  ＣＳＩ  ＲＳリソースを示すメッセージを協力基地局２から受信するとき、サービング基地局１は、それに応じて、ＣｏＭＰ測定セットをアップデートし、またそのアップデートされたＣｏＭＰ測定セットは、ＲＲＣレイヤ・シグナリングによってユーザ端末４に対して通知される可能性がある。
【００４０】
オプションとして、ステップ３２１において送信されるメッセージは、協力基地局２についてのセル識別情報および／またはアンテナ・ポート構成情報をさらに含むことができる。セル識別情報は、例えば、それだけには限定されないが、仮想セルＩＤである。協力基地局２の仮想セルＩＤが、デフォルト値を採用する場合、メッセージは、必ずしも仮想セルＩＤを含んでいるとは限らない。サービング基地局１が、前もって、協力基地局２についてのアンテナ・ポート構成情報を知っている場合、そのような情報は、メッセージの中で省略されることもある。
【００４１】
オプションとして、ステップ３２１において送信されるメッセージは、協力基地局２のＮＺＰ  ＣＳＩ  ＲＳリソースについての構成情報の実効時間をさらに含んでいる。
【００４２】
ステップ３１１において送信されるメッセージを使用して、望ましいＺＰ  ＣＳＩ  ＲＳリソースを示すときに、メッセージは、通常、リソース構成情報（例えば、ゼロＴｘパワー・リソース構成リスト（ｚｅｒｏＴｘＰｏｗｅｒＲｅｓｏｕｒｃｅＣｏｎｆｉｇＬｉｓｔ）として表される）と、サブフレーム構成情報（例えば、ゼロＴｘパワー・サブフレーム構成（ｚｅｒｏＴｘＰｏｗｅｒＳｕｂｆｒａｍｅＣｏｎｆｉｇ）として表される）とを含んでいる。
【００４３】
オプションとして、ステップ３１１において送信されるメッセージは、サービング基地局１のＺＰ  ＣＳＩ  ＲＳリソースについてのセル識別情報をさらに含むことができ、このセル識別情報は、例えば、それだけには限定されないが、セルＩＤと、仮想セルＩＤとである。代わりに、ＺＰ  ＣＳＩ  ＲＳリソースについてのセル識別情報は、ＮＺＰ  ＣＳＩ  ＲＳリソースについてのセル識別情報に関連づけられ、またそれゆえに一意的に決定されることもあり、その結果、ＺＰ  ＣＳＩ  ＲＳリソースについてのセル識別情報は、省略される可能性もある。
【００４４】
オプションとして、ステップ３１１において送信されるメッセージは、ＺＰ  ＣＳＩ  ＲＳリソースについての構成情報の実効時間をさらに含んでいる。
【００４５】
サービング基地局１からの構成情報を成功裏に受信し、また受け入れた後に、協力基地局２は、ステップ３２１において肯定応答（Ａｃｋ）メッセージを返送する。
【００４６】
サービング基地局１が、協力基地局２から肯定応答メッセージを受信する場合、サービング基地局１は、望ましいＺＰ  ＣＳＩ  ＲＳリソースに従って構成を実行し、またそれに応じてＣｏＭＰ測定セットをアップデートし、またそのアップデートされたＣｏＭＰ測定セットは、ＲＲＣシグナリングによってユーザ端末４に対して通知される可能性がある。
【００４７】
サービング基地局１が、所定の時間内に協力基地局２から肯定応答メッセージを受信しておらず、または協力基地局２から受信失敗メッセージを受信する場合、サービング基地局１は、ステップ３１１において送信されるメッセージを再送信することができる。
【００４８】
望ましいＮＺＰ  ＣＳＩ  ＲＳリソースを示し、また望ましいＺＰ  ＣＳＩ  ＲＳリソースを示すために使用される、サービング基地局１からのメッセージは、別々に送信され、または１つのメッセージの中にまとめられ、また一緒に送信される可能性がある。それに応じて、協力基地局２からの応答メッセージは、別々に送信され、または１つのメッセージの中にまとめられ、また一緒に送信される可能性がある。
【００４９】
図４は、本発明の一実施形態による、サービング基地局１と、協力基地局２とを伴うＣｏＭＰ送信のための方法４００を示す流れ図である。本方法４００は、サービング基地局１におけるステップ４１１と、協力基地局２におけるステップ４２１とを含んでいる。
【００５０】
本方法４００のステップ４１１においては、上記の方法２００および３００とは違って、サービング基地局１は、単に、ＣｏＭＰ要求メッセージを協力基地局２に対して送信する。要求メッセージは、少なくとも２つのＮＺＰ  ＣＳＩ  ＲＳリソースを構成するように協力基地局２に要求することができる。
【００５１】
サービング基地局１からＣｏＭＰ要求メッセージを受信した後に、協力基地局２は、それ自体の状態に従って、ＮＺＰ  ＣＳＩ  ＲＳについてのより適切なリソースを選択することができる。次いで、ステップ４２１において、協力基地局２のＮＺＰ  ＣＳＩ  ＲＳリソースおよび／またはＺＰ  ＣＳＩ  ＲＳリソースを示すメッセージが、サービング基地局１に対して送信される。
【００５２】
協力基地局２のＮＺＰ  ＣＳＩ  ＲＳリソースおよび／またはＺＰ  ＣＳＩ  ＲＳリソースを示すメッセージを協力基地局２から受信するときに、サービング基地局１は、それに応じて、ＣｏＭＰ測定セットをアップデートし、またそのアップデートされたＣｏＭＰ測定セットは、ＲＲＣレイヤ・シグナリングによってユーザ端末４に通知される可能性がある。
【００５３】
オプションとして、ステップ４２１において送信されるメッセージは、協力基地局２についてのセル識別情報および／またはアンテナ・ポート構成情報をさらに含むことができる。セル識別情報は、例えば、それだけには限定されないが、仮想セルＩＤである。協力基地局２の仮想セルＩＤが、デフォルト値を採用する場合、メッセージは、必ずしも仮想セルＩＤを含んでいるとは限らない。サービング基地局１が、前もって、協力基地局２についてのアンテナ・ポート構成情報を知っている場合、そのような情報は、メッセージの中で省略されることもある。
【００５４】
オプションとして、ステップ４２１において送信されるメッセージは、協力基地局２のＮＺＰ  ＣＳＩ  ＲＳリソースについての構成情報の実効時間をさらに含んでいる。その実効時間が、規定されない場合、サービング基地局１は、表示かこの次にアップデートされるまで、協力基地局２によって示されるリソースを常に有効であるものと見なすことになる。
【００５５】
図５は、本発明の一実施形態による、サービング基地局１と、協力基地局２とを伴うＣｏＭＰ送信のための方法５００を示す流れ図である。本方法５００は、サービング基地局１におけるステップ５１１と、協力基地局２におけるステップ５２１とを含んでいる。
【００５６】
ステップ５１１と、ステップ５２１とにおいて、サービング基地局１と、協力基地局２とは、それぞれ、ＣｏＭＰ送信の協力セットの中のＮＺＰ  ＣＳＩ  ＲＳリソースをブロードキャストする。
【００５７】
次いで、サービング基地局１は、協力セットの中のすべての構成情報を統合することができ、またそれに応じてＣｏＭＰ測定セットをアップデートし、またそのアップデートされたＣｏＭＰ測定セットは、ＲＲＣシグナリングによってユーザ端末４に対して通知される可能性がある。
【００５８】
協力セットの中のいずれかの基地局についてのＮＺＰ  ＣＳＩ  ＲＳリソースの構成が、変化する場合、例えば、それらのリソースは、追加され、取り除かれ、またはアップデートされ、協力セットの中のＮＺＰ  ＣＳＩ  ＲＳリソースをもう一度、アップデートすることが、必要である。
【００５９】
上記の実施形態は、２つの基地局が、ＣｏＭＰ送信を実行するときに、リソース構成の特定の実装形態を説明するものである。そのような教示の下で、当業者なら、３つ以上の基地局が、ＣｏＭＰ送信を実行するときに、リソース構成の特定の実装形態を簡単に思い付くことができ、このことは、本明細書において反復されない。
【００６０】
本発明の異なる実施形態が、解明され、また説明されているが、本発明は、これらの実施形態だけには限定されるものではない。特許請求の範囲における、「第１の」や「第２の」などの序数は、差別化の役割を担うだけであり、このことは、対応するメンバが、どのような特定の順序または接続の関係も有することを意味してはいない。いくつかの請求項または実施形態の中に現れるだけの技術的特徴は、それらの技術的特徴が、他の請求項または実施形態の中の他の特徴と組み合わせられて、新しい役に立つ技術的問題解決手法を達成することができないことを意味してはいない。特許請求の範囲において説明されるように、本発明の趣旨および範囲を逸脱することなく、多数の修正形態と、変更形態と、変形形態と、置換形態と、均等物とが、当業者のためには明らかである。
【図１】
2016500995.tif 000004
【図２】
2016500995.tif 000005
【図３】
2016500995.tif 000006
【図４】
2016500995.tif 000007
【図５】
2016500995.tif 000008
【国際調査報告】
2016500995.tif 000009
2016500995.tif 000010
2016500995.tif 000011